(57)【要約】【課題】作業性が向上するとともに、材料費削減による製造コストの低減が図られたＩＣの放熱構造を備えたディスクドライブ装置を提供する。【解決手段】放熱されるべきＩＣ１０と、ＩＣ１０が実装される実装面を有するプリント基板５と、プリント基板５の実装面側に位置し、プリント基板５と所定の間隔をもって離間して位置する金属製のボトムキャビネット２ａとを備え、ボトムキャビネット２ａは、ＩＣ１０に対応する位置にプリント基板５に向かって突出するように形成された凸部２ａ１を有し、ボトムキャビネット２ａのプリント基板５に対向する面には、凸部２ａ１に対応する位置に開口６ａを有する絶縁シート６が貼付され、ボトムキャビネット２ａとＩＣ１０との間には、凸部２ａ１とＩＣ１０とに挟まれて押圧固定された放熱シート７が位置する。【選択図】　　　　図１
2004140289.tif 000002
【特許請求の範囲】
【請求項１】
放熱されるべき半導体集積回路装置と、
前記半導体集積回路装置が実装される実装面を有するプリント基板と、
前記プリント基板の実装面側に位置し、前記プリント基板と所定の間隔をもって位置する金属製のボトムキャビネットとを備え、
前記ボトムキャビネットは、前記半導体集積回路装置に対応する位置に前記プリント基板に向かって突出するように形成された凸部を有し、
前記ボトムキャビネットの前記プリント基板に対向する面には、前記凸部に対応する位置に開口を有する絶縁シートが貼付され、
前記ボトムキャビネットと前記半導体集積回路装置との間には、前記凸部と前記半導体集積回路装置とに挟まれて押圧固定された放熱シートが位置している、ディスクドライブ装置。
【請求項２】
放熱されるべき電子部品と、
前記電子部品が実装される実装面を有する基板と、
前記基板の実装面側に位置し、前記基板と所定の間隔をもって位置する金属製の板状部材とを備え、
前記板状部材は、前記電子部品に対応する位置に前記基板に向かって突出するように形成された凸部を有し、
前記板状部材と前記電子部品との間には、前記凸部と前記電子部品とに接触配置された放熱部材が位置している、電子部品の放熱構造。
【請求項３】
前記基板と前記板状部材との間には、さらに絶縁シートが位置しており、前記絶縁シートは、前記凸部に対応する位置に開口を有し、前記板状部材の前記基板に対向する面に貼付されている、請求項２に記載の電子部品の放熱構造。
【請求項４】
前記放熱部材は、放熱シートであり、前記凸部と前記電子部品とに挟まれて押圧固定されている、請求項２または３に記載の電子部品の放熱構造。
【請求項５】
前記放熱部材は、絶縁性のグリースである、請求項２または３に記載の電子部品の放熱構造。
【請求項６】
前記凸部は、前記板状部材をプレス加工することにより形成され、前記板状部材は、中央部分が前記基板に近接する方向に向かって反っている、請求項２から５のいずれかに記載の電子部品の放熱構造。
【請求項７】
前記板状部材は、前記基板を収容する筐体の一面である、請求項２から６のいずれかに記載の電子部品の放熱構造。
【請求項８】
請求項２から７のいずれかに記載の電子部品の放熱構造を備える、ディスクドライブ装置。
【発明の詳細な説明】
【０００１】
【発明の属する技術分野】
本発明は、半導体集積回路装置に代表される電子部品の放熱構造に関し、また、この電子部品の放熱構造を備えたディスクドライブ装置に関する。
【０００２】
【従来の技術】
従来、電子機器を構成する電子部品の放熱構造には様々な形態が取られており、電子部品において生ずる熱を如何に効率よく放熱するかが重要な課題となっている。特に近年では、目覚ましい半導体技術の進歩により、高性能の半導体集積回路装置（以下、ＩＣ（Ｉｎｔｅｇｒａｔｅｄ　Ｃｉｒｃｕｉｔ）と言う。）が電子機器の必須の電子部品となっており、このＩＣの放熱構造は大変重要な設計事項となっている。
【０００３】
ＩＣの放熱構造としては、上述の通り種々の構造のものが提案されているが、その一つとして、ＩＣにて生ずる熱を筐体である金属製のキャビネットに放熱する構造が知られている（たとえば、特許文献１または２参照）。この構造では、放熱部材としてキャビネットが用いられるため、別途放熱部材を必要とせず、部品の共通化が図られる。この結果、比較的容易に放熱構造を実現することが可能になる。
【０００４】
ＩＣを搭載した電子機器として、たとえばディスクドライブ装置がある。図４は、一般的なディスクドライブ装置の構造を示す斜視図である。ディスクドライブ装置１は、図に示すように、箱型形状の筐体であるキャビネット２によって覆われており、前面にはディスク状記録媒体である光ディスクを装填するためのトレイ４が出入りするトレイ用開口１１や、イジェクトボタン１２等の各種操作ボタンなどが位置している。
【０００５】
図５は、図４に示すディスクドライブ装置の内部構造を説明するための分解斜視図である。なお、図５においては、内部構造の理解を容易とするためにディスクドライブ装置１に組付けられる光ピックアップやターンテーブルなどの部品はその図示を省略してある。
【０００６】
図に示すように、キャビネット２は、ディスクドライブ装置１の底面を形成する金属製の板状部材であるボトムキャビネット２ａと、天面、側面および背面を形成するカバー２ｂとから構成される。光ディスクが装填されるトレイ４は、樹脂製のフレーム３に移動自在に組付けられる。また、フレーム３の下端部分には、各種電子部品が実装されたプリント基板５が配設される。このプリント基板５は、下面側に電子部品が実装される実装面を有しており、この実装面にＩＣ１０が複数個実装されている。これらトレイ４およびプリント基板５が組付けられたフレーム３を内部に収容するように、ボトムキャビネット２ａとカバー２ｂとがビス８によって固定されることにより、ディスクドライブ装置１が組立てられる。
【０００７】
上記の構造のディスクドライブ装置にあっては、フレーム４の下端にプリント基板５が配設されるため、ボトムキャビネット２ａとプリント基板５とは所定の間隔をもって対向して位置することになる。ボトムキャビネット２ａとプリント基板５とは、ディスクドライブ装置１の小型化のために可能な限り接近させた状態にて配置することが好ましい。しかしながら、万が一、電子部品の導電部分や電子部品のプリント基板への電気的接続箇所などがボトムキャビネット２ａに接触してしまうと、回路がショートしてしまう等の不具合が生ずるおそれがある。このため、ボトムキャビネット２ａのプリント基板５に対向する面には、絶縁シート６が貼付され、絶縁が保たれるように配慮されている。
【０００８】
このような構造のディスクドライブ装置にあっては、ＩＣ１０にて生ずる熱を金属製のボトムキャビネット２ａへと逃がす工夫がなされる。具体的には、図６に示すように、絶縁シート６のＩＣ１０に対応した位置に開口６ａを設け、この開口６ａ内に位置し、かつＩＣ１０とボトムキャビネット２ａとに挟まれて押圧固定されるように放熱シート７が配置される。放熱シート７は絶縁シート６に比べて熱伝導性に優れており、この放熱シートを介してＩＣ１０とボトムキャビネット２ａとを接続することにより、ＩＣ１０にて生ずる熱を効率よくボトムキャビネット２ａへと放熱することが可能になる。
【０００９】
【特許文献１】
特開平８−２８６７８３号公報
【００１０】
【特許文献２】
特開平４−２６０３９６号公報
【００１１】
【特許文献３】
特開２０００−１１５９５６号公報
【００１２】
【発明が解決しようとする課題】
しかしながら、上記のようにＩＣにて生ずる熱を放熱シートを介してキャビネットに放熱する場合には、以下のような問題があった。
【００１３】
第１に、放熱シートとして利用することが可能な部材が非常に高価である点が挙げられる。これは、放熱シートとして要求される特性に厳しい制約があるためであり、その制約としては、高熱伝導性、絶縁性および弾力性に富み、かつ長期にわたってこれら特性が維持されることなど挙げられる。これらの条件を満たす部材としては、たとえばシリコンラバーなどが採用されていた。しかしながら、このシリコンラバーからなる放熱シートは非常に高価な部材であり、製造コストの増大につながっていた。
【００１４】
図６に示すように、従来のディスクドライブ装置にあっては、放熱シート７の厚みｔ２は、プリント基板５とキャビネット２ａとの間の距離ｄからＩＣ１０の厚みｔＩＣを引いた厚み（ｔ２＝ｄ−ｔＩＣ）以上必要となっていた。上記において説明したように、プリント基板５とキャビネット２ａとは所定の距離以上に離間して配置される必要があるため、このことが材料費の増大につながっていた。
【００１５】
第２に、作業性が悪くなる点が挙げられる。上述のように、プリント基板には通常複数のＩＣが実装されるが、これらＩＣのプリント基板表面でのレイアウトには対称性がない場合が多く、必然的にキャビネットに貼付される絶縁シートには表裏が存在するようになる。たとえば、開口部が右側に位置するように貼付すべきものを、表裏を間違えて開口部が左側に位置するように貼付してしまうおそれがあった。このように、ボトムキャビネットに絶縁シートを貼り付ける工程において、表裏を間違って貼り付けるミスが生じるおそれがあり、作業が煩雑になっていた。
【００１６】
したがって、本発明は上記問題点を解決すべくなされたものであり、作業性が向上するとともに、材料費削減による製造コストの低減が図られた電子部品の放熱構造およびこれを備えたディスクドライブ装置を提供することを目的とする。
【００１７】
【課題を解決するための手段】
本発明に基づくディスクドライブ装置は、半導体集積回路装置と、プリント基板と、ボトムキャビネットと、絶縁シートと、放熱シートとを備える。プリント基板は、半導体集積回路装置が実装される実装面を有しており、ボトムキャビネットは、金属製の板状部材であり、プリント基板の実装面側に位置し、基板と所定の間隔をもって離間して位置する。また、ボトムキャビネットは、半導体集積回路装置に対応する位置にプリント基板に向かって突出するように形成された凸部を有している。絶縁シートは、ボトムキャビネットの凸部に対応する位置に開口を有し、ボトムキャビネットのプリント基板に対向する面に貼付される。放熱シートは、熱伝導性に優れたシート状の部材であり、凸部と半導体集積回路装置とに挟まれて押圧固定される。
【００１８】
このように、ボトムキャビネットの半導体集積回路装置に対応した位置に凸部を設け、この凸部と半導体集積回路装置との間に放熱シートを介在させることにより、プリント基板とボトムキャビネットとの距離を所定の距離以上に保った上で放熱シートの厚みを薄くすることが可能になる。これにより、放熱性能が向上するとともに材料費の削減が可能になる。
【００１９】
また、上記構成においては、予めボトムキャビネットに凸部が形成されているため、絶縁シートをキャビネットに貼り付ける際に、絶縁シートの開口部分とボトムキャビネットの凸部とによって絶縁シートの表裏が確認されるとともに絶縁シートのボトムキャビネットに対する位置合わせが簡便に行なえるようになる。このように、上記構成の如くボトムキャビネットに凸部を設けることにより、作業性の大幅な改善が図られるようになる。
【００２０】
本発明に基づく電子部品の放熱構造は、電子部品と、基板と、板状部材と、放熱部材とを備える。基板は、電子部品が実装される実装面を有しており、板状部材は金属からなり、基板の実装面側に位置し、基板と所定の間隔をもって離間して位置する。板状部材の電子部品に対応する位置には、基板に向かって突出するように形成された凸部が設けられている。放熱部材は、板状部材と電子部品とに接触して配置される。
【００２１】
このように、板状部材の電子部品に対応した位置に凸部を設け、この凸部と電子部品との間に放熱部材を介在させることにより、基板と板状部材との距離を所定の距離以上に保った上で放熱部材の厚みを薄くすることが可能になる。これにより、放熱性能が向上するとともに材料費の削減が可能になる。
【００２２】
上記本発明の基づく電子部品の放熱構造にあっては、たとえば、基板と板状部材との間には絶縁シートが位置しており、絶縁シートは凸部に対応する位置に開口を有し、板状部材の基板に対向する面に貼付されていることが望ましい。
【００２３】
このように、基板と板状部材との間に絶縁シートを配置することにより、板状部材が万が一基板側に変形した場合にも基板に設けられる回路がショートする心配がなくなる。また、予め板状部材の電子部品に対応する位置に凸部が設けられているため、絶縁シートを板状部材に貼り付ける際に、絶縁シートの開口部分と板状部材の凸部とによって絶縁シートの表裏が確認されるとともに絶縁シートの板状部材に対する位置合わせが簡便に行なえるようになる。このように、本構成とすることにより作業性の大幅な改善が図られる。
【００２４】
上記本発明に基づく電子部品の放熱構造にあっては、たとえば、放熱部材はシート状の部材であり、凸部と電子部品とに挟まれて押圧固定されていることが望ましい。
【００２５】
このように、放熱部材をシート状の部材とすることにより、組付けの際にその取扱い性が向上する。
【００２６】
上記本発明に基づく電子部品の放熱構造にあっては、たとえば、放熱部材は絶縁性のグリースであることが望ましい。
【００２７】
このように、放熱部材を絶縁性のグリースとした場合には、上記のように放熱部材を放熱シートとした場合に生じ得る放熱部材の位置ずれの心配がないため、さらに作業性が向上する。
【００２８】
上記本発明に基づく電子部品の放熱構造にあっては、たとえば、凸部は板状部材をプレス加工することにより形成され、板状部材はその中央部分が基板に近接する方向に向かって反っていることが望ましい。
【００２９】
このように、板状部材にプレス加工を施すことによって凸部を形成することにより、凸部が簡便に形成されるとともに、板状部材の中央部分が僅かに基板側に向かって反った形状となる。これにより、板状部材を組付ける際にこの反りによって放熱部材が適度に押圧されるようになり、その密着性が向上する。このため、放熱性能が向上する効果も得られるようになる。
【００３０】
上記本発明に基づく電子部品の放熱構造にあっては、たとえば、板状部材は基板を収容する筐体の一面であることが望ましい。
【００３１】
このように、板状部材が筐体の一面であれば別途放熱用の板状部材を設ける必要がなくなるため、装置の小型化および部品点数の削減が可能になる。
【００３２】
本発明に基づくさらに他のディスクドライブ装置は、上述のいずれかの電子部品の放熱構造を備えている。
【００３３】
このように、上述の電子部品の放熱構造を用いたディスクドライブ装置とすることにより、放熱性能に優れた電子部品の放熱構造を備えたディスクドライブ装置を提供することが可能になり、製品寿命の向上につながる。
【００３４】
【発明の実施の形態】
以下、本発明の実施の形態の一例について、図を参照して説明する。
【００３５】
図１は、本発明の実施の形態におけるディスクドライブ装置の内部構造を説明するための分解斜視図であり、図２（ａ）は、図１におけるキャビネットの形状を示す上面図であり、図２（ｂ）は正面図、図２（ｃ）は側面図である。また、図３は、本発明の実施の形態におけるＩＣの放熱構造を説明するための断面図である。
【００３６】
まず、図１を参照して、本実施の形態におけるディスクドライブ装置の構造について説明する。なお、内部構造の理解を容易とするためにディスクドライブ装置１に組付けられる光ピックアップやターンテーブルなどの部品はその図示を省略してある。
【００３７】
本実施の形態におけるディスクドライブ装置１は、上述の従来例において示したディスクドライブ装置と同様の外観構造を有しており、正面を除く外面はキャビネット２によって覆われている。キャビネット２内には、光ディスクを装填するトレイ４が移動自在に組付けられるフレーム３や、同じくフレーム４に組付けられるプリント基板５、プリント基板５とキャビネット２との絶縁を確保する絶縁シート６などが積層配置される。
【００３８】
キャビネット２は、ディスクドライブ装置１の底面を形成する金属製の板状部材であるボトムキャビネット２ａと、天面、側面および背面を形成するカバー２ｂとから構成される。これらボトムキャビネット２ａとカバー２ｂとは、上述のフレーム３やプリント基板５等を収容した状態にてビス８を用いて固定されることにより、箱型形状の筐体を構成する。
【００３９】
ボトムキャビネット２ａは、図２に示すように、プレス加工が施された金属製の板状部材からなる。ボトムキャビネット２ａは、上方に向かって突出するように形成された凸部２ａ１を所定位置に有している。この凸部２ａ１はプレス加工によって形成され、ディスクドライブ装置１の組立て後において、ボトムキャビネット２ａのプリント基板５に実装されたＩＣ１０に対応する位置に設けられる。また、凸部２ａ１の上面の大きさは、ＩＣ１０の上面の大きさとほぼ同じと大きさとなるように形成される。
【００４０】
また、図２（ｂ）および図２（ｃ）に示すように、ボトムキャビネット２ａは凸部２ａ１を形成するためのプレス加工により、その中央部分が上方に反った形状となる。すなわち、ディスクドライブ装置１の組立て後において、プリント基板５と近接する方向に向かって僅かに反った形状となる。
【００４１】
図１を参照して、プリント基板５は、各種電子部品が実装される実装面を下面側に有しており、この実装面にＩＣ１０が複数個実装されている。
【００４２】
ボトムキャビネット２ａとプリント基板５との間には、絶縁シート６および放熱シート７が配置される。絶縁シート６は、ボトムキャビネットの凸部２ａ１に対応した位置、すなわちプリント基板５に実装されるＩＣ１０に対応した位置に開口６ａを有するフィルム状の部材であり、予めボトムキャビネット２ａのプリント基板５に対向する面へと貼り付けられる。放熱シート７は、たとえば、シリコンラバーからなり、ボトムキャビネット２ａの凸部２ａ１の上面と、プリント基板５に実装されたＩＣ１０の上面との間に挟み込まれるように押圧固定される。
【００４３】
次に、図３を参照して、ＩＣの放熱構造についてより詳細に説明する。図に示すように、キャビネット２ａとプリント基板５とは、所定の距離を持って離間して配置されている。プリント基板５の下面側には、ＩＣ１０が実装されており、キャビネット２ａのＩＣ１０に対応する位置には、凸部２ａ１が形成されている。絶縁シート６は、凸部２ａ１に対応する位置に開口６ａを有しており、キャビネット２ａのプリント基板５に対向する面側に貼付されている。凸部２ａ１とＩＣ１０との間には、放熱シート７が挟み込まれて押圧固定されている。
【００４４】
この放熱シートの厚みｔ１は、ＩＣ１０と凸部２ａ１に押圧固定された状態において、プリント基板５とキャビネット２ａとの距離ｄからＩＣ１０の厚みｔＩＣと凸部２ａ１の高さｈを引いた厚み（ｔ１＝ｄ−（ｔＩＣ＋ｈ））となる。ただし、放熱シート７は前述のように押圧固定されるため、このｔ１よりも僅かに厚いものを使用する必要がある。
【００４５】
以上のように、ボトムキャビネット２ａのＩＣ１０に対応する位置に凸部２ａ１を設けることにより、放熱シートの厚みを従来に比して凸部２ａ１の高さ分だけ薄くすることが可能になる。これにより、材料費が削減されるのみならず、放熱性能の向上も図られる。
【００４６】
また、上述のように、ボトムキャビネット２ａに凸部２ａ１をプレス加工にて設けた場合には、ボトムキャビネット２ａの中央部分がプリント基板５側へと近接する方向に反った形状となる。これにより、ボトムキャビネット２ａを組付ける際にこの反りによって放熱シート７が適度に押圧されるようになり、その密着性が向上する。このため、放熱性能が向上する効果も得られるようになる。
【００４７】
さらには、予めボトムキャビネット２ａのＩＣ１０に対応する位置に凸部２ａ１が設けられているため、絶縁シート６をボトムキャビネット２ａに貼り付ける際に、絶縁シート６の開口６ａとボトムキャビネット２ａの凸部２ａ１とによって絶縁シート６の表裏が確認されるとともに、絶縁シート６のボトムキャビネット２ａに対する位置合わせが簡便に行なえるようになる。このように、作業性の大幅な改善も図られる。
【００４８】
上記実施の形態においては、放熱部材として放熱シートを例示して説明を行なったが、特にこれに限定されるものではない。たとえば、放熱部材としてシリコングリースなどの放熱グリースを用いることも可能である。放熱グリースを用いた場合には、予めボトムキャビネットの凸部に放熱グリースを所定量塗布することにより、キャビネット組み付け後において、ボトムキャビネットの凸部上面とＩＣの上面とが放熱グリースによって充填されるため、簡便に放熱構造を構成することが可能になる。これにより、放熱シートを用いた場合に比べて位置合わせが不要になるため、作業効率も改善される。なお、塗布する放熱グリースの量は予め試行などを行うことによって決定することが好ましく、適量であれば垂れ出す心配もなく、また接触不良が生じる心配もないことが発明者によって確認されている。さらには、ディスクドライブ装置に内蔵されるＩＣの放熱構造に、このシリコングリースを用いた場合には、長期の使用によってシリコングリース内の油分が蒸発し、ピックアプのレンズに付着することが予想されるが、発明者により、適量の塗布であればこの問題も生じないことが確認されている。
【００４９】
また、上記実施の形態においては、絶縁シートがボトムキャビネットのプリント基板側に貼付された場合を例示して説明を行なったが、特にこの絶縁シートは必須の要素ではなく、プリント基板およびプリント基板に実装される電子部品等とボトムキャビネットが接触する心配がない場合には不要である。
【００５０】
なお、本考案は、ＣＤ（Ｃｏｍｐａｃｔ　Ｄｉｓｃ）、ＣＤ−ＲＯＭ、ＣＤ−ＲＷ（Ｃｏｍｐａｃｔ　Ｄｉｓｃ−Ｒｅｗｒｉｔａｂｌｅ）、ＤＶＤ、ＤＶＤ−ＲＯＭ（Ｄｉｇｉｔａｌ　Ｖｅｒｓａｔｉｌｅ　Ｄｉｓｃ−　ＲｅａｄＯｎｌｙ　Ｍｅｍｏｒｙ）など、あらゆる光情報記録媒体のディスクドライブ装置に適用可能であり、またディスクドライブ装置以外の電子機器に適用することも可能である。
【００５１】
以上のように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【００５２】
【発明の効果】
本発明により、作業性が向上するとともに、材料費削減による製造コストの低減が図られた電子部品の放熱構造およびこの放熱構造を備えたディスクドライブ装置を提供することが可能になる。
【図面の簡単な説明】
【図１】本発明の実施の形態におけるディスクドライブ装置の内部構造を示す分解斜視図である。
【図２】図１におけるボトムキャビネットの形状を示す（ａ）は上面図であり、（ｂ）は正面図であり、（ｃ）は側面図である。
【図３】本発明の実施の形態におけるＩＣの放熱構造を説明するための断面図である。
【図４】一般的なディスクドライブ装置の構造を示す斜視図である。
【図５】図５におけるディスクドライブ装置の内部構造を示す分解斜視図である。
【図６】従来におけるＩＣの放熱構造を説明するための断面図である。
【符号の説明】
１　ディスクドライブ装置、２　キャビネット、２ａ　ボトムキャビネット、２ａ１　凸部、２ｂ　カバー、３　フレーム、４　トレイ、５　プリント基板、６　絶縁シート、６ａ　開口、７　放熱シート、８　ビス、１０　ＩＣ、１１　トレイ用開口、１２　イジェクトボタン。
【図１】
2004140289.tif 000003
【図２】
2004140289.tif 000004
【図３】
2004140289.tif 000005
【図４】
2004140289.tif 000006
【図５】
2004140289.tif 000007
【図６】
2004140289.tif 000008